(57)【要約】      （修正有）【課題】荷運びの際に荷物の腕にかかる負担を軽減する、荷運び補助具を提供する。【解決手段】使用時に短軸７の真後ろに位置する中央に周辺を碗型の凹部１０を設けた短軸７を通す短軸穴１１を設けて成る立方体１２を設け、立方体１２の短軸穴１１を設けた面の上隣の面に立方体１２を肩で吊る肩ベルト１４を設け、左右の立方体１２が向かい合う面にベルト通し１６を付し、使用するときはそれぞれ肩ベルト１４を肩に掛け、立方体１２に付したベルト通し１６に市販のベルト１５を通し、ベルト１５を腰で締めると立方体１２は固定され、腕置き１にはマジックテープ４を付した腕ベルト３を設け、手首から肘にかけての腕に巻きつけ固定し、荷物を持ち、腕置き１に設けた短軸７を立方体１２に設けた短軸穴１１に通し、腕置き１を固定し、荷物の腕にかかる負担を軽減することを特徴とする荷運び補助具。【選択図】図１
2009011329.tif 000002
【特許請求の範囲】
【請求項１】
両辺が湾曲した手首から肘程の長さの長方形の腕置きを右手と左手用に２本設け、それぞれこの腕置きに凹部に回転軸を支店に左右９０度まで回転する短軸を設けて成る球体の短軸支えを設け、短軸は短軸支えと短軸を繋ぐゴムにより力を加えない限り真後ろを指し、使用時に短軸の真後ろに位置する中央に周辺を碗型の凹部を設けた短軸を通す短軸穴を設けて成る立方体を設け、立方体の短軸穴を設けた面の上隣の面に立方体を肩で吊る肩ベルトを設け、左右の立方体が向かい合う面にベルト通しを付し、使用するときはそれぞれ肩ベルトを肩に掛け、立方体に付したベルト通しに市販のベルトを通し、ベルトを腰で締めると立方体は固定され、腕置きにはマジックテープを付した腕ベルトを設け、手首から肘にかけての腕に巻きつけ固定し、荷物を持ち、腕置きに設けた短軸を立方体に設けた短軸穴に通し、腕置きを固定し、荷物の腕にかかる負担を軽減することを特徴とする荷運び補助具。
【発明の詳細な説明】
【技術分野】
【０００１】  本発明は、手作業による荷運びの際に荷物の腕にかかる負担を軽減する、荷運び補助具に関するものである。
【背景技術】
【０００２】  従来、手作業での荷運びをする際に、重い荷物を運ぶ場合や、長時間荷物を支え続ける場合に腕にかかる負担が大きかった。
【発明の開示】
【発明が解決しようとする課題】
【０００３】  そのために、次のような問題点があった。
荷物を運ぶ際に、腕にかかる負担が大きい為に、荷物を落としたり、途中で置いてしまったりして荷運びの効率が悪かった。
本発明は、以上の問題を解決するためになされたものである。
【課題を解決するための手段】
【０００４】  両辺が湾曲した手首から肘程の長さの長方形の腕置きを右手と左手用に２本設け、それぞれこの腕置きに凹部に回転軸を支点に左右９０度まで回転する短軸を設けて成る球体の短軸支えを設け、短軸は短軸支えと短軸を繋ぐゴムにより力を加えない限り真後ろを指し、使用時に短軸の真後ろに位置する中央に周辺を碗型の凹部を設けた短軸を通す短軸穴を設けて成る立方体を設け、立方体の短軸穴を設けた面の上隣の面に立方体を肩で吊る肩ベルトを設け、左右の立方体が向かい合う面にベルト通しを付し、使用するときはそれぞれ肩ベルトを肩に掛け、立方体に付したベルト通しに市販のベルトを通し、ベルトを腰で締めると立方体は固定され、腕置きにはマジックテープを付した腕ベルトを設け、手首から肘にかけての腕に巻きつけ固定し、荷物を持ち、腕置きに設けた短軸を立方体に設けた短軸穴に通し、腕置きを固定し、荷物の腕にかかる負担を軽減することを特徴とする荷運び補助具。
【発明の効果】
【０００５】  本発明は、手作業による荷運びの際に腕にかかる負担を軽減する。したがって、荷運びが楽になる。
【発明を実施するための最良の形態】
【０００６】  以下、本発明の実施の形態を説明する。
（イ）両辺が湾曲した手首から肘程の長さの長方形の腕置き（１）を２本設け、それぞれこの腕置き（１）に腕（２）と腕置きを固定する腕ベルト（３）を腕置き（１）の一辺に設け、腕ベルト（３）にはマジックテープ（４）を付し、腕置き（１）にも対応するマジックテープ（４）を付する。
（ロ）凹部（５）を設けた球体で成る短軸支え（６）に短軸（７）を設け、この短軸（７）は短軸支え（６）に設けた回転軸（８）により端部を留められ回転軸（８）を支点に左右に９０度回転可能とし、短軸（７）の端部と短軸支え（６）を２本のゴム（９）で繋ぎ、短軸支え（６）はそれぞれ腕置き（１）に付する。
（ハ）一面の中央に短軸（７）を通す周辺が碗型の凹部（１０）で成る短軸穴（１１）を設けた立方体（１２）を２個設け、短軸穴（１１）を設けた面の上隣に肩（１３）に掛ける肩ベルト（１４）を設ける。
（ニ）２個の立方体（１２）が向かい合う面にそれぞれ市販のベルト（１５）を通すベルト通し（１６）を設ける。
本発明は以上の構成よりなっている。
本発明を使用するときは、それぞれ肩ベルト（１４）を肩（１３）に掛け、市販のベルト（１５）をベルト通し（１６）に通した後腰で締め、左右の立方体（１２）を固定し、その後、腕置き（１）を腕ベルト（３）で各腕に固定し、荷物を両手で持って腕置き（１）の肘側に設けた短軸（７）を立方体（１２）の碗型の凹部（１０）を滑らせ短軸穴（１１）に通し、腕置き（１）を立方体（１２）の短軸穴（１１）を設けた面と垂直に固定する。この結果、荷物の腕（２）にかかる負担を軽減できる。
【図面の簡単な説明】
【０００７】
【図１】  本発明の斜視図
【図２】  本発明の要部側面図
【図３】  本発明の要部平面図
【図４】  本発明の分離要部平面図
【図５】  本発明を使用している状態を示す側面図
【符号の説明】
【０００８】  １    腕置き
２    腕
３    腕ベルト
４    マジックテープ
５    凹部
６    短軸支え
７    短軸
８    回転軸
９    ゴム
１０  碗型の凹部
１１  短軸穴
１２  立方体
１３  肩
１４  肩ベルト
１５  市販のベルト
１６  ベルト通し
【図１】
2009011329.tif 000003
【図２】
2009011329.tif 000004
【図３】
2009011329.tif 000005
【図４】
2009011329.tif 000006
【図５】
2009011329.tif 000007
【手続補正書】
【提出日】平成18年10月1日(2006.10.1)
【手続補正１】
【補正対象書類名】特許請求の範囲
【補正対象項目名】請求項１
【補正方法】変更
【補正の内容】
【請求項１】
両辺が湾曲した手首から肘程の長さの長方形の腕置きを右手と左手用に２本設け、それぞれこの腕置きに凹部に回転軸を支点に左右９０度まで回転する短軸を設けて成る半球体の短軸支えを設け、短軸は短軸支えと短軸を繋ぐゴムにより力を加えない限り真後ろを指し、使用時に短軸の真後ろに位置する中央に周辺を碗型の凹部を設けた短軸を通す短軸穴を設けて成る立方体を設け、立方体の短軸穴を設けた面の上隣の面に立方体を肩で吊る肩ベルトを設け、左右の立方体が向かい合う面にベルトを付し、立方体の後方には装着した際に背中の位置にくる背板を設け、背板は肩ベルトに接着させ、使用するときはそれぞれ肩ベルトを肩に掛け、立方体に付したベルトを腰で締めると立方体は固定され、腕置きには留め具を付した腕ベルトを設け、手首から肘にかけての腕に巻きつけ固定し、荷物を持ち、腕置きに設けた短軸を立方体に設けた短軸穴に通し、腕置きを固定し、荷物の腕にかかる負担を軽減することを特徴とする荷運び補助具。
【手続補正２】
【補正対象書類名】明細書
【補正対象項目名】０００４
【補正方法】変更
【補正の内容】
【０００４】  両辺が湾曲した手首から肘程の長さの長方形の腕置きを右手と左手用に２本設け、それぞれこの腕置きに凹部に回転軸を支点に左右９０度まで回転する短軸を設けて成る半球体の短軸支えを設け、短軸は短軸支えと短軸を繋ぐゴムにより力を加えない限り真後ろを指し、使用時に短軸の真後ろに位置する中央に周辺を碗型の凹部を設けた短軸を通す短軸穴を設けて成る立方体を設け、立方体の短軸穴を設けた面の上隣の面に立方体を肩で吊る肩ベルトを設け、左右の立方体が向かい合う面にベルトを付し、立方体の後方には装着した際に背中の位置にくる背板を設け、背板は肩ベルトに接着させ、使用するときはそれぞれ肩ベルトを肩に掛け、立方体に付したベルトを腰で締めると立方体は固定され、腕置きには留め具を付した腕ベルトを設け、手首から肘にかけての腕に巻きつけ固定し、荷物を持ち、腕置きに設けた短軸を立方体に設けた短軸穴に通し、腕置きを固定し、荷物の腕にかかる負担を軽減することを特徴とする荷運び補助具。
【手続補正３】
【補正対象書類名】明細書
【補正対象項目名】０００６
【補正方法】変更
【補正の内容】
【０００６】  以下、本発明の実施の形態を説明する。
（イ）両辺が湾曲した手首から肘程の長さの長方形の腕置き（１）を２本設け、それぞれこの腕置き（１）に腕（２）と腕置き（１）を固定する腕ベルト（３）を設け、腕ベルト（３）には金具（４）とベルト穴（５）を付する。
（ロ）凹部（６）を設けた半球体で成る短軸支え（７）に短軸（８）を設け、この短軸（８）は短軸支え（７）に設けた回転軸（９）により端部を留められ回転軸（９）を支点に左右に９０度回転可能とし、短軸（８）の端部と短軸支え（７）を２本のゴム（１０）で繋ぎ、短軸支え（７）はそれぞれ腕置き（１）に付する。
（ハ）一面の中央に短軸（８）を通す周辺が碗型の凹部（１１）で成る短軸穴（１２）を設けた立方体（１３）を２個設け、短軸穴（１２）を設けた面の上隣に肩（１４）に掛ける肩ベルト（１５）を設け、立方体（１３）と肩ベルト（１５）の後方に大きめの背板（１６）を接着させる。
（ニ）２個の立方体（１３）が向かい合う面にベルト穴（１７）と金具（１８）を設けた、ベルト（１９）を設ける。
本発明は以上の構成よりなっている。
【手続補正４】
【補正対象書類名】明細書
【補正対象項目名】０００８
【補正方法】変更
【補正の内容】
【０００８】            １  腕置き
２  腕
３  腕ベルト
４金具
５ベルト穴
６  凹部
７  短軸支え
８  短軸
９  回転軸
１０  ゴム
１１  凹部
１２  短軸穴
１３  立方体
１４  肩
１５  肩ベルト
１６背板
１７ベルト穴
１８金具
１９ベルト
【手続補正６】
【補正対象書類名】図面
【補正対象項目名】図１
【補正方法】変更
【補正の内容】
【図１】
2009011329.tif 000008
【手続補正７】
【補正対象書類名】図面
【補正対象項目名】図２
【補正方法】変更
【補正の内容】
【図２】
2009011329.tif 000009